【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
ソース端子を含むソース側のソースから、キャパシタンスを付加された負荷端子を含む負荷側の負荷へのエネルギーの輸送を調節する直流電力分配システムであって、
ａ）前記ソース端子の両端電圧を示す少なくとも１つの信号を含むフィードバックをソース制御器へ提供するソースセンサに応答する前記電力分配システムの前記ソース側のソース制御器と、
ｂ）前記ソースを前記ソース端子と電気的に接続または切断する、ソース制御器からの制御信号に応答するソース切断装置であって、前記ソース制御器は前記ソース切断装置を開放することにより前記負荷への直流電力の供給を定期的に遮断するように構成されたソース切断装置と、
ｃ）前記ソース切断装置の前記開放とともに、少なくとも１つの電流方向に関して前記負荷端子から前記負荷を電気的に切り離すように構成された負荷切断装置と、
ｄ）少なくともソース制御器内に実装された論理装置であって、
前記ソース切断装置を開放し、次いで、前記ソース切断装置が開放されかつ前記キャパシタンスを付加された前記負荷端子から前記負荷が電気的に切り離されたときに、少なくとも２回のソース端子の電圧測定を実行するように構成され、前記電圧測定結果の差は、前記ソース端子間のインピーダンスおよび相当する前記キャパシタンスの放電率を表し、かつ、
前記ソース切断装置が閉じられるかどうかを、前記電圧測定結果が所定の上限と下限から外れるどうかを少なくとも含む所定の一組の条件に基づいて判断するよう構成され、前記所定の上限と下限から外れた前記電圧測定は、前記ソース端子または前記負荷端子に接触する異物または個人、あるいは、前記電力分配システムの障害が存在することを示し、かつ、
前記電圧測定結果が前記所定の上限および下限内に入る場合にのみ前記ソース切断装置を閉じるように構成された、論理装置、
を含む直流電力分配システム。
【請求項２】
前記負荷端子の両端電圧を示す少なくとも１つの信号を含むフィードバックを前記負荷制御器へ提供する荷重センサに応答する電力分配システムの前記負荷側の負荷制御器、をさらに含む請求項１に記載の電力分配システム。
【請求項３】
前記ソース制御器と前記負荷制御器間の運転情報の交換用に構成されたデータコミュニケーションリンクであって、前記運転情報は、前記負荷制御器により取得される前記負荷端子の両端電圧を示す少なくとも１つの値を含む、データコミュニケーションリンク、をさらに含む請求項２に記載の電力分配システム。
【請求項４】
前記データコミュニケーションリンクは連邦規制当局により許可された電磁スペクトル内の搬送波周波数で動作する無線通信回路を含む、請求項３に記載の電力分配システム。
【請求項５】
前記データ通信は、通信信号と前記ソースまたは前記負荷端子上に存在する電圧波形とを組み合わせ、前記通信信号を前記ソースまたは前記負荷端子上に存在する前記電圧波形から後で分離するように動作可能な前記ソース制御器と前記負荷制器内のモデムにより達成され、その結果前記ソース制御器と前記負荷制御器は前記ソースと前記負荷端子間の接続だけを利用して互いに通信できるようになる、請求項３に記載の電力分配システム。
【請求項６】
前記データ通信は前記ソースが前記ソース端子から切断されたときだけ達成され、前記通信信号は前記ソース端子から前記負荷端子に流れる電流により妨害されない、請求項５に記載の電力分配システム。
【請求項７】
前記ソース制御器と前記負荷制御器は、エネルギー輸送が開始され得る前に、所定値と一致しなければならないデジタル検証コードを交換する、請求項３に記載の電力分配システム。
【請求項８】
前記ソース制御器は、前記ソース制御器により取得される前記ソース端子電圧と前記負荷制御器により取得される前記負荷端子電圧間の差を計算し、前記差が所定の上限値と下限値の範囲に入らなければ前記ソース切断装置を開放する命令を発行するように構成される、請求項２に記載の電力分配システム。
【請求項９】
前記ソースから前記負荷へ輸送される平均エネルギーを調節するように、前記ソースが前記ソース端子から切断される時間と前記ソースが前記ソース端子に接続される時間との比を変えるために、前記ソース切断装置は前記ソース制御器からの制御信号に応答する、請求項１に記載の電力分配システム。
【請求項１０】
前記ソース制御器が前記ソースから前記ソース端子に流れる電流を示す信号を取得できるようにする電流センサをさらに含む請求項１に記載の電力分配システムであって、
前記ソース制御器は、前記電流が所定最大値を越えれば前記ソース切断装置を開放して前記ソースを前記ソース端子から切断するように構成される、電力分配システム。
【請求項１１】
前記ソース制御器は、ソース端子電圧測定結果とソース電流測定結果とを定期的に乗算して計算瞬時電力値を取得し、全エネルギー値を導出するために連続電力値を積分するように構成される、請求項１０に記載の電力分配システム。
【請求項１２】
前記ソース制御器はまた、前記ソースから抽出されたエネルギーの金融費用をユーザに請求するように構成される、請求項１１に記載の電力分配システム。
【請求項１３】
前記負荷切断装置はダイオードを含む、請求項１に記載の電力分配システム。
【請求項１４】
ソースから負荷へのエネルギーの輸送を直流電流を介して行うための直流電力分配システムを実現する方法であって、前記直流電力分配システムは、導電性異物または個人が前記電力分配システムの露出導体に接触することを含む安全でない条件を検知するように構成され、前記方法は、
ａ）ソース切断装置を開放するための応答信号をソース制御器内に生成し、それによって前記ソースと前記ソース端子間の電気的接続を遮断させるとともに、少なくとも１つの電流方向に関して前記負荷と前記負荷端子の間の電気的接続を負荷切断装置が遮断する工程と、
ｂ）前記ソース切断装置が開放され、かつ前記負荷が前記負荷端子から電気的に切り離された状態で、ソース端子電圧センサを使用して前記ソース端子の両端電圧の第１の測定結果を取得し、前記ソース制御器によるアクセスのための第１の電圧測定結果を格納する工程と、
ｃ）所定時間の経過後、前記ソース切断装置がまだ開放されており、かつ前記負荷がまだ前記負荷端子からまだ電気的に切り離されている状態で、前記ソース端子電圧センサを使用して前記ソース端子の電圧の第２の測定結果を取得し、前記ソース制御器によるアクセスのための第２の電圧測定を格納する工程と、
ｄ）前記第１の格納された電圧測定結果と前記第２の格納された電圧測定結果との差を計算する工程であって、前記差は前記ソース端子と前記負荷端子にわたるキャパシタンスの放電率を表す、工程と、
ｅ）前記第１の格納された電圧測定結果と前記第２の格納された電圧測定結果との前記差が所定の上限と下限内に入れば前記ソース切断装置を閉じる信号を前記ソース制御器から生成する工程であって、前記所定の上限と下限外の放電率は、前記ソースまたは前記負荷端子と電気的接触する導電性異物または個人が存在する、または前記直流電力分配システムハードウェア内に障害があるということを示す、工程とを含む方法。
【請求項１５】
前記ソース制御器は、光学的通信リンク、導電性通信リンク、無線通信リンクの内の少なくとも１つを使用することにより負荷制御器と通信する、請求項１４に記載の方法。
【請求項１６】
前記ソース制御器は、前記通信リンクを介し前記負荷制御器からデジタル検証コードを取得し、前記デジタル検証コードが前記ソース制御器内のメモリ内に存在する既に格納されたコードと一致しなければ前記ソース切断装置を開状態のままにするように働く、請求項１５に記載の方法。
【請求項１７】
前記ソース制御器は、前記ソースから前記負荷へ輸送された前記平均エネルギーが前記ソース制御器により実行されるアルゴリズムに従って調整されるように、前記ソース切断装置の非導電的時間に対する前記ソース切断装置の通電時間を変えるように働く、請求項１４に記載の方法。
【請求項１８】
ｆ）電流センサを使用することにより前記ソース端子を流れる電流の測定結果を取得するために前記ソース制御器内のコードを実行する工程と、
ｇ）前記測定電流値をソース制御器メモリ内に格納する工程と、
ｈ）前記電流が所定最大値を越えれば、前記ソース切断装置を開放して、前記ソース端子から前記ソースを切断する工程とをさらに含む請求項１４に記載の方法。
【請求項１９】
前記ソース端子電圧センサを使用することにより前記ソース制御器により取得された前記ソース端子電圧と負荷制御器から前記ソース制御器により取得された前記負荷端子電圧との差を計算するために前記ソース制御器内のアルゴリズムを実行し、前記ソース端子電圧と前記負荷端子電圧との前記差が所定の上限と下限内に入らなければ前記ソース切断装置を開放するように働く工程をさらに含む請求項１４に記載の方法。
【請求項２０】
前記ソース制御器において、
ｆ）電流センサを使用して前記ソース端子を流れる電流の測定結果を取得する工程と、
ｇ）電圧センサを使用して前記ソース端子電圧の測定結果を取得する工程と、
ｈ）瞬時電力値を導出するために前記ソース端子電圧測定結果に前記ソース電流測定結果を定期的に乗算する工程と、
ｉ）全エネルギー値を導出するために連続計算電力値を時間で積分する工程とをさらに含む請求項１４に記載の方法。
【請求項２１】
前記ソースからユーザにより抽出されたエネルギーに対する前記エネルギーの金融費用を前記ユーザに請求する工程をさらに含む請求項２０に記載の方法。
【請求項２２】
前記ソース制御器は、前記ソース切断手段が閉じている間に電圧センサを使用して前記ソース端子電圧の第１の測定結果を取得し、次に、前記ソース切断が開放された後直ちに前記ソース端子電圧の第２の測定結果を取得し、前記第１と第２の電圧測定結果との差を計算し、前記ソース制御器は、前記電圧差が所定の上限または下限から外れれば前記ソース切断装置を開放するための行動を取る、請求項１４に記載の方法。
【請求項２３】
前記ソース制御器はまた、前記ソース切断装置が閉じている間前記電流センサを使用して前記ソース端子を流れる電流の測定結果を取得し、前記ソース端子と前記負荷端子間の前記導体の抵抗の値を導出するために前記電圧差を前記電流測定により除算し、前記ソース制御器は、前記抵抗値が所定の上限と下限内に入らなければ前記ソース切断装置を開放するための行動を取る、請求項２２に記載の方法。
【請求項２４】
第１の絶縁変圧器の二次コイル上のセンタータップ点に第１のソース回路出力導体を接続する工程と第２の絶縁変圧器の二次コイル上のセンタータップ点に第２のソース回路出力導体を接続する工程とをさらに含む請求項１４に記載の方法であって、
第１の負荷回路入力導体は第３の絶縁変圧器の一次コイル上のセンタータップ点へ接続され、第２の負荷回路入力導体は第４の絶縁変圧器上の一次コイルのセンタータップ点へ接続され、その結果、前記構成は、前記ソース回路から前記負荷回路へ流れる電流に起因する前記４つの変圧器内に生成されるいかなる磁束もほぼ相殺し、前記４つの変圧器の残りの未使用端子は、前記ソース回路から前記負荷回路へ流れる電流と電気的に絶縁されかつ独立したデータを送受信するために使用され得る方法。
【請求項２５】
前記データはイーサネット（登録商標）技術を使用して転送される、請求項２４に記載の方法。
【請求項２６】
前記データはデジタル加入者線技術を使用して転送される、請求項２４に記載の方法。
【請求項２７】
前記ソースに前記負荷の機能を引受けさせ、前記負荷に前記ソースの機能を引受けさせ、システム内のエネルギーの流れを反転させる工程をさらに含む請求項２４に記載の方法。
基づき判断するための前記ソース制御器内の論理装置とを含む。